(57)【要約】【課題】汎用的な袋が使用でき、収容量の損失を必要最小限にとどめる袋閉じ装置を開示し、収容物が細断屑である場合にも袋閉じの際に細断屑の舞い散りがないシュレッダを提供する。【解決手段】筐体と、筐体に収容した袋の開口部の高さ位置に筐体の内部から出し入れ口を介して直線的に引き出し自在に設けた左右一対のスライドバーと、袋の開口部の対向する二箇所を袋外側から着脱自在に保持する先端部を有して、左右一対のスライドバーそれぞれに先端部同士を水平に向き合わせて回転自在に軸支した左右一対の巻取り軸と、スライドバーを筐体から引き出す際の直線運動を回転運動に変換して巻取り軸の回転力を発生する駆動力発生機構と、駆動力発生機構からの回転力を一対の巻取り軸に伝達する駆動力伝達機構とを備え、スライドバーを筐体から引き出すのと連動して一対の巻取り軸が回転駆動することで、先端部に保持した二箇所を両端として収容物が投入された袋の開口部全体を水平な一本のロール状に巻き取るようにした。【選択図】図７
2018095299.tif 000002
【特許請求の範囲】
【請求項１】
手前側を出し入れ口として開口状態の袋を内部に収容し、上方から前記開口状態の袋に収容物が投入可能な筐体と、該筐体に収容する前記袋の開口部の高さ位置に前記筐体の内部から前記出し入れ口を介して直線的に引き出し自在に設けた左右一対のスライドバーと、前記袋の開口部の対向する二箇所を袋外側から着脱自在に保持する先端部を有して、前記左右一対のスライドバーそれぞれに前記先端部同士を水平に向き合わせて回転自在に軸支した左右一対の巻取り軸と、前記スライドバーを前記筐体から引き出す際の直線運動を回転運動に変換して前記巻取り軸の回転力を発生する駆動力発生機構と、該駆動力発生機構からの前記回転力を前記一対の巻取り軸に伝達する駆動力伝達機構とを備え、前記スライドバーの前記筐体からの引き出しと連動して前記一対の巻取り軸が回転駆動することで、前記先端部に保持した二箇所を両端として前記収容物が投入された前記袋の前記開口部全体を水平な一本のロール状に巻き取ることを特徴とする袋閉じ装置。
【請求項２】
駆動力発生機構は、左右一対のスライドバーと、これらスライドバーに対応するレールのそれぞれにラックアンドピニオンを設けてなる請求項１記載の袋閉じ装置。
【請求項３】
左右一対のスライドバーに対応する一対のラックを歯部が互いに上下逆となるように配置し、対応する一対のピニオンを相対的に逆向きに回転させるようにした請求項２記載の袋閉じ装置。
【請求項４】
駆動力伝達機構は、スライドバーを筐体から引き出す際の回転力を巻取り軸に伝達し、スライドバーを筐体に収容する際の回転力は前記巻取り軸に伝達することを規制する請求項１、２または３記載の袋閉じ装置。
【請求項５】
巻取り軸、または駆動力伝達機構を構成する回転軸に、前記巻取り軸の巻き取り方向の回転を許容し、逆方向の回転を規制するワンウェイクラッチを設けた請求項１、２または３記載の袋閉じ装置。
【請求項６】
左右一対のサイドバーは、一対の巻取り軸を回転駆動するまで袋の開口部を着脱自在に仮保持する仮止め具を有する請求項１から５のうち何れか一項記載の袋閉じ装置。
【請求項７】
細断屑を下方に排出する細断部を備え、前記細断屑を収容物として、前記細断部の下側に請求項１から６のうち何れか一項記載の袋閉じ装置を設けたシュレッダ。
【発明の詳細な説明】
【技術分野】
【０００１】
この発明は、例えばシュレッダによる細断屑が入った屑袋を梱包する技術に係り、詳しくは、最終的には屑袋の口を手作業で結び留めるために、その事前準備として袋口をロール状に巻回する袋閉じ装置と、該装置を備えたシュレッダに関するものである。
【背景技術】
【０００２】
シュレッダによる細断屑を袋詰めして処分する場合、細断部の下側に適当な大きさの袋を開口してセットしておき、袋内の細断屑が所定量となれば袋を取り出して、開口部の二箇所を中央で結ぶなどして袋口を閉じるのが一般的である。しかし、この方法では、開口部を結び留めする際に袋が圧縮され、その風圧によって袋内の細断屑が袋口から舞い散ることがある。特に、クロスカット式のシュレッダでは細断屑が微塵切りの状態となるため、僅かな風圧でも細断屑が舞い上がりやすい。
【０００３】
一方で、細断屑が入った屑袋を機械的に梱包するシュレッダも提案されている（特許文献１・２参照）。このうち特許文献１のシュレッダは、大量の細断屑を圧縮して梱包する機構を有するが、圧縮機構を有する分、構造が大掛かりである。これに鑑み、特許文献２のシュレッダでは、屑袋を水平回転してねじり部（被結束部）を形成する回転機構と、このねじり部を結束する結束装置とを備えることで、全体の小型化と低コストを実現したとされている。
【先行技術文献】
【特許文献】
【０００４】
【特許文献１】特開平６−１５１９２号公報
【特許文献２】特開２０１４−１６１７５３号公報
【発明の概要】
【発明が解決しようとする課題】
【０００５】
特許文献１のシュレッダは、極めて大型で、通常のオフィスに設置できる大きさではなく、コスト高でもある。
【０００６】
一方、特許文献２のシュレッダは、用いる袋が上下とも開口した長尺なチューブ状をした専用のものであり、当初より底部が閉じられている汎用的なゴミ袋を使用することができない。
【０００７】
また、特許文献２のシュレッダでは、細断屑が入った袋にねじり部を形成するに際して、袋の上下を固定しなければならず手間である。
【０００８】
さらに、特許文献２のシュレッダは、細断屑が入った袋の開口部を固定した状態で、底部を回転テーブルにより水平回転させることによってねじり部を形成するが、この場合、ねじり部は開口部よりも下側に形成されることになるため、細断屑の収容量が犠牲となる。この点、袋口が大きい袋は、屑が投入しやすく一度に大量の屑を投入するのに適するが、上下方向に直径が均一な、伸縮性が低い袋の胴部途中に水平回転によってねじり部を形成するには、袋口の上縁から少なくとも袋口の周長に見合った高さ分の余裕がなければ、ねじり部で袋を密封することができないため、袋口が大きくなるほどねじり部の位置が下方にずれることになり、見かけ通りの収容量が得られなかった。
【０００９】
本発明は上述した課題を解決するためになされたもので、その目的とするところは、汎用的な袋が使用でき、その収容量の損失を必要最小限にとどめる袋閉じ装置を開示し、加えて、収容物が細断屑である場合にも、袋閉じの際に当該細断屑の舞い散りがないシュレッダを提供することである。
【課題を解決するための手段】
【００１０】
上述した目的を達成するために本発明では、手前側を出し入れ口として開口状態の袋を内部に収容し、上方から前記開口状態の袋に収容物が投入可能な筐体と、該筐体に収容する前記袋の開口部の高さ位置に前記筐体の内部から前記出し入れ口を介して直線的に引き出し自在に設けた左右一対のスライドバーと、前記袋の開口部の対向する二箇所を袋外側から着脱自在に保持する先端部を有して、前記左右一対のスライドバーそれぞれに前記先端部同士を水平に向き合わせて回転自在に軸支した左右一対の巻取り軸と、前記スライドバーを前記筐体から引き出す際の直線運動を回転運動に変換して前記巻取り軸の回転力を発生する駆動力発生機構と、該駆動力発生機構からの前記回転力を前記一対の巻取り軸に伝達する駆動力伝達機構とを備え、前記スライドバーの前記筐体からの引き出しと連動して前記一対の巻取り軸が回転駆動することで、前記先端部に保持した二箇所を両端として前記収容物が投入された前記袋の前記開口部全体を水平な一本のロール状に巻き取ると共に、当該巻取り後の前記袋を前記筐体から取り出し可能とする手段を用いた。
【００１１】
上記手段によれば、スライドバーを筐体から引き出す力（直線運動）を利用して、一対の巻取り軸を同時に回転駆動し、これによって袋の開口部（輪状の口縁全体）を横一線にほぼ同時に巻き取り開始するため、収容物が細断屑などの極めて軽量物であっても、一本のロール状となる間に袋口から収容物が舞い散ることがない。
【００１２】
また、上記手段では、僅かな巻取りで袋の口縁全体を水平な一本のロール状として袋口を閉じることができるため、収容量の損失を最小限にとどめた状態で収容物を収容することができる。なお、袋口を閉じるために、巻取り軸を何回転させるかは任意であって、巻取り数が多ければ袋の密封性は高くなるが、後述するように、最終的にロール状の袋口両端を結び留めるのであれば、必ずしも一回転以上、回転させることはない。
【００１３】
そして、このように口縁全体をロール状とした後は、その両端を一対の巻取り軸から軸方向に引き抜くなどして取り外す。さらに、巻取り軸から取り外した後は、テープ止めなどによって開口しないようにする他、その両端を手作業で中央で結び留めるのが簡易である。
【００１４】
こうした手段において、巻取り軸の駆動力発生機構は、具体的には、左右一対のスライドバーと、これらスライドバーに対応するレールのそれぞれにラックアンドピニオンを設けてなることが好ましい。スライドバーの直線運動をより確実に回転運動に変換して巻取り軸を回転駆動させることができるうえ、スライドバーを筐体から完全に引き出した状態（袋口の巻き取り停止状態）でも、ピニオンがラックに噛合して、ピニオンの逆回転が規制されており、捻り戻しによって袋が開口状態に復元することを阻止できるからである。他の駆動力発生手段として、スライドバーにゴム製のタイヤを設け、このタイヤがスライドバーのレール上を転動することで、スライドバーの直線運動をタイヤの回転運動に変換するような機構も排除しないが、タイヤが滑るなどして運動変換が不安定となるおそれがあることから、上述したラックアンドピニオンを採用することが好ましい。
【００１５】
一方、駆動力伝達機構は、前記駆動力発生機構の出力側の回転軸（上記ピニオンやタイヤなど）と巻取り軸との間に、伝達ギア、またはチェーン及びチェーンスプロケット、さらにまたはベルトとプーリーなどを配設することよって構成することができるが、駆動力発生機構によっては、スライドバーを筐体に収容する方向と、スライドバーを筐体から引き出す方向の双方で回転運動がなされ、スライドバーを筐体に収容する際にも巻取り軸が回転駆動して、空の袋の開口部をロール状に閉じるといった不都合がある。そこで、駆動力伝達機構は、スライドバーを筐体から引き出す際の回転力を巻取り軸に伝達し、スライドバーを筐体に収容する際の回転力は前記巻取り軸に伝達することを規制するように構成することが好ましい。
【００１６】
より具体的には、巻取り軸、または駆動力伝達機構を構成する回転軸に、前記巻取り軸の巻き取り方向の回転を許容し、逆方向の回転を規制するワンウェイクラッチを設けることで、スライドバーを筐体から引き出すときにのみ巻取り軸を回転駆動させ、スライドバーを筐体に収容するときは巻取り軸を回転駆動させないようにすることができる。
【００１７】
なお、巻取り軸の回転方向や回転速度は限定しないが、回転方向については、一対の巻取り軸が互いに反対方向に回転して、袋の開口部全体にねじりを加えるようにすれば、同一方向に回転する場合よりも袋口の密封性が高まるうえ、当該袋口のねじりがほどけにくくなるため好ましい。これを実現する一手段として、左右一対のスライドバーに対応する一対のラックを歯部が互いに上下逆となるように配置し、それぞれに対応する一対のピニオンを相対的に逆向きに回転させるようにする。
【００１８】
一方、巻取り軸の回転速度については、袋開口部をゆっくりと巻き取るようにすれば、袋内の空気が袋口から脱気するにしても、前記細断屑が舞い上がるような風圧は発生せず、細断屑の飛散をより確実に回避することができるが、これは駆動力伝達機構におけるピニオンと、巻取り軸との間に設ける伝達ギアのギア比を選択することで調整することができる。
【００１９】
さらに、左右一対のスライドバーは、別個独立に引き出すことは予定しておらず、両バーに適宜、連結バーを架け渡して、一体的に引き出すようにする。この場合、左右一対のスライドバーと連結バーによって、袋を開口状態で装着することができるフレームを構成することができる。具体的には、左右一対のスライドバーの前後端部双方に連結バーを架け渡して、平面視略ロ字状のフレームを構成する他、スライドバーの後端部のみ連結バーで連結して、前記スライドバーの前端側（筐体の出し入れ口側）を開放した全体として平面視略コ字状のフレームを採用することもできる。
【００２０】
特に、この平面視略コ字状のフレームは、筐体に引き出し式に収容するものとして好ましい構成である。即ち、ロ字状のフレームであると手前側の連結バーが邪魔となって、袋を開口状態で装着したり、開口部を閉じた後の袋を取り出しにくいが、上記コ字状フレームであれば、作業正面となる手前が開放されているため、これらの作業を容易に進めることができる。
【００２１】
また、手前を開放した上記コ字状フレームでは、一対のスライドバーの前端側それぞれに取っ手を設けることによって、筐体への出し入れが容易となる。
【００２２】
そして、こうしたフレームに袋を脱着自在に装着する具体的手段としては、スライドフレームに巻取り軸を回転駆動するまで袋の口縁を着脱自在に仮保持する仮止め具を設けることが好ましい。仮止め具としては、袋の口縁を弾性的に挟み込むクリップが該当する。このクリップは、それ単独で袋口を挟み込むことができる既存のダブルクリップや洗濯ばさみの他、髪をとめるピン留めも利用可能で、また、フレームとの間で袋口を挟み込む板ばねなども含む概念である。さらに、スライドバーが磁性を有する場合は、磁石を仮止め具として利用することができる。この手段では、例えば、左右一対のスライドバーそれぞれの前後端二箇所、全体として合計四箇所に仮止め具を装備することで、袋を袋口が平面視矩形状に開口するように収容物を所定量投入するまで保持でき、投入完了後、巻取り動作時には、一対の巻取り軸に引き付けられる力によって仮止め具から袋口が容易に取り外される。
【００２３】
なお、収容物は特に限定せず、袋詰めすることができるものであれば、食品や小物の他、ゴミであってもよい。また、袋についても、当初から底が閉じられている必要はあるが、収容物に適したものであれば、その素材は問わない。
【００２４】
他方、本発明では、特に収容物が飛散しやすい場合の適例として、細断屑を下方に排出する細断部を備え、前記細断屑を収容物として、該細断部の下側に上述した手段の袋閉じ装置を設けたシュレッダを提供する。この場合、細断屑を入れる袋は従来より汎用されているポリ袋等をそのまま使用することができることはもちろんである。
【発明の効果】
【００２５】
本発明の袋閉じ装置は、収容物を投入後の開口状態にある袋の口を水平な一本のロール状に巻き取るため、収容物を容易に袋詰めすることができる。特に、この袋閉じ装置を備えたシュレッダは、細断屑が周囲に舞い散ることなく袋口をロール状に閉じることができるうえ、最終的な廃棄に際しても、その両端を中央で容易に結び留めることができる。
【００２６】
また、スライドバーを引き出すだけで袋閉じが完了するため、袋を交換するときには収容物が収容された先の袋は既に袋閉じが完了しており、交換作業を楽に行えるうえ、モータなどの別途動力を必要としないから、これを駆動するスイッチなどの制御回路も不要で、構成が簡易であり、保守も簡単に行うことができる。
【図面の簡単な説明】
【００２７】
【図１】本発明の袋閉じ装置を備えたシュレッダの実施形態を示した側面視概略図
【図２】同、正面視概略図
【図３】同、フレームを筐体に仕舞った状態の側面視概略図
【図４】同、フレームの全体構造を詳細に示す斜視図
【図５】同、フレームに屑袋を装着した状態を示す斜視図
【図６】同、巻取り軸の詳細を示す側面図
【図７】同、片側のスライドバーにおいて駆動力発生機構を示す側面図
【図８】同、巻取り軸の縦断面図
【図９】同、ピニオンの縦断面図
【図１０】同、もう片側のスライドバーにおいて駆動力発生機構を示す側面図
【図１１】同、巻取り完了後の状態を示したフレームの斜視図
【図１２】同、袋閉じが完了した屑袋の概略図
【図１３】同、袋閉じが完了した屑袋の閉口部を中央で結ぶところを示す概略図
【発明を実施するための形態】
【００２８】
以下、本発明の好ましい実施の形態を添付した図面に従って説明する。図１・２は、本発明に係る袋閉じ装置を備えたシュレッダについての一の実施形態を示した側面視概略図、及び正面視概略図である。これらの図において、１は細断機構、２は上部に細断機構１を設置した筐体である。
【００２９】
細断機構１は、例えば不要書類を上方から投入して、下方から筐体２に対して細断屑を落下させるものであって、従来公知のものを採用することができるため、詳細な説明を割愛する。
【００３０】
筐体２は、上面が開口しており、これを落下口２ａとして細断機構１から落下する細断屑を内部に取り入れる。また、手前側（図１において左側）は細断屑を収容する袋の出し入れ口２ｂとして開口している。なお、筐体２の手前側には扉を設けて、出し入れ口２ｂを開閉可能とすることもある。
【００３１】
さらに、筐体２には、落下口２ａの直下に、筐体２の内部から出し入れ口２ｂを介して筐体２の外部に直線的にスライドする引き出し式のフレーム３を設けている。このフレーム３は、筐体２の左右側板の内側に前後方向水平に固定レール４を一対設けると共に、該固定レール４にスライドレール５をスライド自在に挿通し、さらに、該スライドレール５に対してスライドバー６をスライド自在に挿通することで、いわゆる二段式レールを構成している。
【００３２】
なお、当該フレーム３の二段式レールに関して、固定レール４・スライドレール５・スライドバー６の三部材は、筐体２の奥行きとほぼ同じ長さを有して、後述する屑袋ＴＢと共に、図３に示すように、その全部を筐体２の内部に収容できる構成としている。また、図１に戻り、スライドレール５の後端には固定レール４からの引き抜けを防止するストッパ５ａを設けると共に、その側板には長孔５ｂを設ける一方、スライドバー６には前記長孔５ｂに挿入係合するボス６ａを設けている。したがって、スライドバー６を前後に操作すれば、まずスライドレール５が前後方向にスライドし、ストッパ５ａが作用した段階で、ボス６ａがスライドレール５の長孔５ｂに沿ってスライドし、スライドバー６が前後にスライドする。そして、スライドバー６は長孔５ｂに見合った長さが筐体２から引き出されることになる。即ち、長孔５ｂを例えばスライドストロークの１／２〜３／４の長さで設けることで、スライドバー６を全て引き出したとき、スライドレール５の後ろ側は固定レール４側に残置し、前側がスライドバー６と重複するため、スライドレール５は当該二段式レールにおける補強レールのような作用も行う。
【００３３】
このフレーム３は、図４に示すように、スライドバー６の引き出し手前側を解放する一方、後端側のみを連結バー７で連結して平面視コ字状とし、左右一対のスライドバー６を一体化している。さらに、スライドバー６の手前側先端それぞれには、短尺な取っ手８を設けており、この取っ手８と連結バー７の左右二箇所に板ばね９を設けて、図５に示すように、細断屑を収容する屑袋ＴＢの口縁Ｅ四箇所を仮保持して、当該屑袋ＴＢを開口状態で装着可能としている。
【００３４】
そして、このフレーム３は、屑袋ＴＢの袋閉じ装置を備える。即ち、図２・図４・図５に示したように、左右一対のスライドバー６・６のそれぞれ中央部には、一対の巻取り軸１０・１０を先端部１０ａ・１０ａ同士がフレーム３内で向き合うように水平向きに回転自在に軸支すると共に、これを主部材として後述する駆動力発生機構及び駆動力伝達機構を備え、フレーム３を筐体２から引き出すときの力を利用して巻取り軸１０・１０を回転駆動するようにしている。
【００３５】
巻取り軸１０は、図５に示したように、スライドバー６に開口状態に装着した屑袋ＴＢの口縁Ｅの対向する二箇所を保持して巻き取るもので、その先端部１０ａの端面には、図６に示すように、口縁Ｅを差し込む軸方向のスリット１０ｂを形成している。また、スリット１０ｂの内部には板ばね１０ｃを設けて、巻取り前に口縁Ｅがスリット１０ｂから不用意に外れることなく、より確実に袋口縁Ｅを保持できるようにしている。さらに、当該巻取り軸１０の先端部１０ａの外周面１０ｄの形状を先細りのテーパ状として、巻取り完了後のロール状閉口部を巻取り軸１０から軽い力で引き抜けるようにした。
【００３６】
この巻取り軸１０を回転駆動する駆動力発生機構は、ラックアンドピニオンから構成している。即ち、図７に示すように、スライドレール５の側板にはラック１１を固定すると共に、このラック１１の歯部１１ａに噛合するピニオン１２をスライドバー６に軸支して駆動力発生機構を構成している。ピニオン１２は巻取り軸１０と中心を同一線上に位置させてスライドバー６の後端側に軸支している。したがって、スライドバー６を前後にスライドさせれば、その直線運動はラック１１と噛合するピニオン１２の回転運動に変換される。
【００３７】
そして、スライドバー６の直線運動により回転運動するピニオン１２の回転力を巻取り軸１０に伝達する駆動力伝達機構は、図８・９に示すように、巻取り軸１０とピニオン１２の回転軸それぞれにチェーンスプロケット１３・１４を同軸に設け、図７に示したように、両チェーンスプロケット１３・１４に無端ループ状のチェーン１５を掛け渡すことで構成している。つまり、スライドバー６を引き出し方向に沿って前後にスライドさせれば、ピニオン１２が回転し、チェーンスプロケット１３・チェーン１５・チェーンスプロケット１４の順に回転力が伝達され、巻取り軸１０が回転駆動する。
【００３８】
なお、上記駆動力伝達機構では、スライドバー６を筐体２から引き出したときだけでなく、スライドバー６を筐体２に仕舞うときにも、ピニオン１２の回転力が巻取り軸１０に伝達されることになる。そうすると、袋交換時に、新しい空の袋をスライドバー６に装着して、筐体２に仕舞う際に、空の袋を袋閉じしてしまうという不都合が生ずる。
【００３９】
そこで、この実施形態では、図９に示したように、ピニオン１２側のチェーンスプロケット１３にワンウェイクラッチ１６を圧入して、チェーンスプロケット１３の回転方向を一方向に規制している。つまり、このワンウェイクラッチ１６は、スライドバー６を筐体２から引き出す際のピニオン１２の回転運動時は、その回転軸を通じてチェーンスプロケット１３にピニオン１２の回転力を伝達するが、スライドバー６を筐体２に仕舞う際のピニオン１２の逆方向の回転運動時には空転して、このピニオン１２の逆方向の回転運動をチェーンスプロケット１３に伝達しないようにしている。したがって、巻取り軸１０もスライドバー６を筐体２から引き出すときのみ回転駆動し、スライドバー６を筐体２に仕舞う際には回転停止した状態となる。
【００４０】
このようなワンウェイクラッチ１６を設ける対象部材はチェーンスプロケット１３に限らず、他方のチェーンスプロケット１４など駆動力伝達機構を構成する回転軸の何れかに設けることができる。
【００４１】
ところで、上述した袋閉じ装置では、左右一対のスライドバー６に、同じ構成の巻取り軸１０、駆動力発生機構、及び駆動力伝達機構を備えるが、この実施形態では、駆動力発生機構については、ラック１１の取り付け向きを左右で上下逆向きにしている。即ち、図７に示したスライドバー６を右側とすれば、この右側スライドバー６では、ピニオン１２の下側にラック１１を設置しているが、左側のスライドバー６では、図１０に示すように、ピニオン１２の上側にラック１１を設置するようにする。このように、左右のスライドバー６でラック１１の歯部１１ａの向きを上下逆さにすることで、スライドバー６を引き出した際、左右の巻取り軸１０を相対的に逆方向に回転させることができる。したがって、袋閉じの際は、袋口縁Ｅを一方向に巻き取るのではなく、両側から捻る（絞る）ように閉口することができる。
【００４２】
続いて、上記実施形態のシュレッダ（袋閉じ装置）の使用方法並びに作用効果について説明すると、まず、図５に示したように、有底状の空の屑袋ＴＢを口縁Ｅを外側にめくってフレーム３に装着する。その際、口縁Ｅの対向二箇所は、巻取り軸１０の先端部１０ａに設けたスリット１０ｂに差し込んでおく。次に、図３に示したように、空の屑袋ＴＢを装着したフレーム３を筐体２に仕舞い、通常どおり細断を行う。屑袋ＴＢに所定量の細断屑Ｔが投入されたならば、フレーム３を筐体２から引き出す。そうすると、フレーム３を筐体２から引き出すのと連動して巻取り軸１０が回転駆動し、スリット１０ｂに差し込んだ口縁Ｅそれぞれが、当該巻取り軸１０の先端部１０ａの外周に巻き取られる。これを継続する間、フレーム３に装着した他の口縁Ｅは徐々に巻取り軸１０の先端部１０ａを結ぶ軸線上に引き寄せられ、最終的には、図１１に示すように、巻取り軸１０に保持した部分を両端として、口縁Ｅが全体にわたって水平な一本のロール状の閉口部Ｓを形成することになる。
【００４３】
そして、この閉口部Ｓの両端Ｓ１・Ｓ１を巻取り軸１０から引き抜くことで、図１２に示すように、閉口部Ｓにより口が閉じた状態で屑袋ＴＢを筐体２から取り出すことができる。その後、屑袋ＴＢを廃棄する際に、閉口部Ｓをどのように処理するかは任意であるが、図１３に示すように、ロール状の閉口部Ｓの両端を中央に引き寄せ、真結び等により結び留めることが簡便である。
【００４４】
このように、上記実施形態によれば、フレーム３を筐体２から引き出すのみで細断屑Ｔが入った屑袋ＴＢの袋閉じが完了する。
【００４５】
なお、本発明は上記実施形態に限定されず、例えば、図１に示したように、フレーム３に屑袋ＴＢの受け台１７を設けることもある。これによって、フレーム３に屑袋ＴＢをセットした際、袋が浮いた状態となって、その底を床に引きずることなく、屑袋ＴＢをスムーズに筐体２に出し入れすることができる。また、受け台１７は細断屑の重みも支持するため、当該重みによって袋口がフレーム３から不用意に外れることも防止できる。
【産業上の利用可能性】
【００４６】
本発明は、その実施形態では、主としてシュレッダによる細断屑を袋詰めするものを説明したが、袋の収容物や、袋の素材・大きさはこれに限定されず、食品や小物など、従来から袋詰めされているものに適用することができる。
【符号の説明】
【００４７】
１  細断機構
２  筐体
２ａ  落下口
２ｂ  出し入れ口
３  引き出し式フレーム
４  固定レール
５  スライドレール
５ａ  ストッパ
５ｂ  長孔
６  スライドバー
６ａ  ボス
７  連結バー
８  取っ手
９  板ばね
１０  巻取り軸
１０ａ  先端部
１０ｂ  スリット
１０ｃ  板ばね
１０ｄ  外周面
１１  ラック
１１ａ  歯部
１２  ピニオン
１３  チェーンスプロケット（ピニオン側）
１４  チェーンスプロケット（巻取り軸側）
１５  チェーン
１６  ワンウェイクラッチ
１７  受け台
ＴＢ  屑袋
Ｅ  口縁
Ｔ  屑
Ｓ  閉口部
Ｓ１  閉口部の両端
【図１】
2018095299.tif 000003
【図２】
2018095299.tif 000004
【図３】
2018095299.tif 000005
【図４】
2018095299.tif 000006
【図５】
2018095299.tif 000007
【図６】
2018095299.tif 000008
【図７】
2018095299.tif 000009
【図８】
2018095299.tif 000010
【図９】
2018095299.tif 000011
【図１０】
2018095299.tif 000012
【図１１】
2018095299.tif 000013
【図１２】
2018095299.tif 000014
【図１３】
2018095299.tif 000015